(57)【要約】【課題】冷凍室の上方に冷蔵室、下方に野菜室を有する冷蔵庫に関するもので、冷却器室、風路構造、部屋の配置により、冷蔵室の内容積の減少を抑え、かつ冷凍室の内容積を増加させた冷蔵庫を提供する。【解決手段】冷蔵室と冷凍室上部に冷蔵室を又、冷凍室下部に野菜室を形成し、冷凍室背部に冷却器、送風機を設置する冷却器室を形成した冷蔵庫に於いて、冷蔵室と冷凍室との間に冷蔵室の略幅半分に製氷室を形成し、冷却器室に設置される送風機を製氷室後方に配置し、前記、部屋の配置に合わせた冷却器、冷却器室、風路構造にしたものである【選択図】図１
2008292093.tif 000002
【特許請求の範囲】
【請求項１】
冷凍室上部に冷蔵室を又、冷凍室下部に野菜室を形成し、冷凍室背部に冷却器、送風機を設置する冷却器室を形成した冷蔵庫に於いて、冷蔵室と冷凍室との間に冷蔵室の略幅半分に製氷室を形成し、製氷室の隣接する室を冷蔵室とし、冷却器室に設置される送風機を製氷室後方に位置させたことを特徴とする冷蔵庫。
【請求項２】
冷却器室に設置される冷却器の形状は、上段部は送風機下部投影部（冷却器右半分）の幅を有し下段部に行くに従い、冷却室の内幅まで広がるよう形成したことを特徴とする請求項1記載の冷蔵庫。
【請求項３】
冷却器前面と製氷室後方の送風機前面を覆う送風機、ダンパー装置、冷却用送付ダクトを有する仕切部材を一体形成したことを特徴とする請求項１記載の冷蔵庫。
【請求項４】
請求項２で、冷却器上部が半分になり吸熱面積が減少した分は、冷蔵室と冷凍室の仕切壁の投影面内に収まるように冷却器段数を増やしたことを特徴とする請求項１記載の冷蔵庫。
【発明の詳細な説明】
【技術分野】
【０００１】
本発明は、冷凍室の上方に冷蔵室、下方に野菜室を有する冷蔵庫に関するもので、冷蔵室の内容積の減少を抑え、かつ冷凍室の内容積を増加させる冷却器室、風路構造、部屋の配置に関わるものである。
【背景技術】
【０００２】
冷凍室の上方に冷蔵室、下方に野菜室を有する冷蔵庫において、冷蔵庫の外形寸法を変更せずに冷凍室の内容積を増加させるには、以下の方法が採られていた。
【０００３】
冷凍室上下の仕切壁を上下に移動させ、冷蔵室、野菜室の内容積を減少させる方法、冷蔵庫箱体断熱壁に真空断熱パネルを介在させ断熱厚さを薄くする方法、冷却器の奥行きまたは高さを小さくし冷却器室を小さくする方法、扉体に真空断熱パネルを介在させ扉体の厚さを薄くし、冷蔵庫箱体の奥行き寸法を稼ぐ方法、また特開２００７−０７１４８４号公報に記載されているように、冷凍室背面に冷却器室を収納させる。
【０００４】
【特許文献１】特開２００７−０７１４８４号公報
【発明の開示】
【発明が解決しようとする課題】
【０００５】
冷凍室の内容積を増加させるため、冷蔵室と冷凍室間の仕切壁を冷蔵室方向に移動させると冷蔵室の内容積が減少しすぎて問題となる。従って、冷蔵室と冷凍室との間に冷蔵室の略幅半分に製氷室、残り半分を冷蔵室（氷温室）として使用することが考えられるが、冷却器室を従来の冷凍室の矩形投影面から、冷凍室、製氷室の右側に偏った凸形状に変更して、冷凍室内容積を確保しようとすると、製氷室の吐出冷気を考慮し冷却用送風機の位置は、製氷室投影面になる。しかし、冷却器は冷却器室全幅に設置されているため、冷却用送風機の位置が偏芯してしまい、冷却用送風機下方に位置する冷却器フィンのみが機能して、他の部分の冷却器フィンを有効に活用出来なくなる。これを解消するには、上記、冷却器を縦長にすかる、整流板を使用するか、或いは冷却用送風機を大型化する等あるがコストアップはもちろん冷却器室も大きくなり内容積効率が悪化する。本発明は上記課題を鑑みてなされたものであり、冷却器の形状、冷却用送風機の配置等を見直すことにより冷蔵室と冷凍室との間に冷蔵室の略幅半分に製氷室、残り半分を冷蔵室（氷温室）として活用でき冷蔵室の内容積の減少を抑え、かつ冷凍室の内容積を増加させる冷蔵庫を提供することを目的とする。
【課題を解決するための手段】
【０００６】
上記の従来例で抱えていた課題を解決するため、冷蔵室と冷凍室上部に冷蔵室を又、冷凍室下部に野菜室を形成し、冷凍室背部に冷却器、送風機を設置する冷却器室を形成した冷蔵庫に於いて、冷蔵室と冷凍室との間に冷蔵室の略幅半分に製氷室を形成し、冷却器室に設置される送風機を製氷室後方に配置する。また、熱漏洩、内容積効率を考慮すると、送風機前面を覆う送風機、ダンパー装置、冷却用送付ダクトを有する仕切部材の形状は、冷凍室、製氷室の背面に設置する。冷却器も上段部は送風機下部投影部（冷却器右半分）の幅を有し下段部に行くに従い、冷却器室の内幅まで広がるよう形成し、更に上段部の冷却フィン半幅による吸熱面積が減少した分は冷蔵室と冷凍室の仕切壁の投影面内に収まるように冷却器段数を増加させることによりリカバリーを図る。
【０００７】
また、前記課題に記載のように冷却器室を従来の冷凍室の矩形投影面から、冷凍室、製氷室の右側に偏った凸形状に変更し、送風機も製氷室側に偏るため冷却器フィンを有効に活用出来なくなる可能性があるため、主な冷凍室戻り冷気口を冷凍室左下部に設置、更に冷却器室の形状も冷却器に合せて左上がりに傾斜する形状にし、冷気が冷却器を均一に通過できる構造とした。
【０００８】
上記構造を採ることにより、冷蔵庫の外形寸法を変更せずに冷蔵室の内容積の減少を抑え、冷凍室の内容積を増加させることができる。
【発明の効果】
【０００９】
本発明によれば、冷蔵庫の外形寸法を変更せずに冷蔵室の内容積の減少、コストアップを抑え、冷凍室の内容積拡大に貢献できる。
【発明を実施するための最良の形態】
【００１０】
以下本発明の一実施例について、図面を参照しながら説明する。
【００１１】
まず、図１から図２について説明する。図１は本発明の一実施例における冷蔵庫部屋のレイアウトである。
【００１２】
６は冷蔵庫断熱箱体で、冷蔵庫部屋のレイアウトは、冷凍室４上方に冷蔵室１、下方に野菜室５備え、冷蔵室１と冷凍室４の間に冷蔵室の略幅半分の製氷室３を形成しその側面には同じく略幅半分の冷蔵室２備えた。
【００１３】
図２は、製氷室３と冷凍室４の背面に位置する冷却器室７の構造を示した正面図である。
【００１４】
送風機９前面を覆う送風機９、ダンパー装置１１、冷却用送付ダクトを有する仕切部材８の形状は、冷凍室４、製氷室３の背面に設置する。冷却器１０も上段部は送風機９下部投影部（冷却器１０右半分）の幅を有し下段部に行くに従い、冷却器室７の内幅まで広がるよう形成し、更に上段部の冷却フィン半幅による吸熱面積が減少した分は冷蔵室１と冷凍室４の仕切壁の投影面内に収まるように冷却器１０段数を増加させる構造とする。
【００１５】
また、冷却器室７を従来の冷凍室４の矩形投影面から、冷凍室４、製氷室３の右側に偏った凸形状に変更し、送風機９も製氷室側に偏るため冷却器フィンを有効に活用出来なくなる可能性があるため、主な冷凍室戻り冷気口１２を冷凍室４左下部に設置、更に冷却器室７の形状も冷却器１０に合せて左上がりに傾斜する形状にした。
【図面の簡単な説明】
【００１６】
【図１】本発明の一実施例における冷蔵庫部屋のレイアウト。
【図２】本発明の冷却器室部品配置を示した正面図。
【図３】本発明の一実施例における冷蔵庫扉レイアウト１。
【図４】本発明の一実施例における冷蔵庫扉レイアウト２。
【図５】本発明の一実施例における冷蔵庫扉レイアウト３。
【符号の説明】
【００１７】
１…冷蔵室、２…冷蔵室（小物ケース）、３…製氷室、４…冷凍室、５…野菜室、６…冷蔵庫断熱箱体、７…冷却器室、８…仕切部材、９…送風機、１０…冷却器、１１…ダンパー装置、１２…冷凍室戻り冷気口、１３…給水タンク、１４…製氷装置、１５…冷蔵室扉右、１６…冷蔵室扉左、１７…製氷室扉、１８…冷凍室扉、１９…野菜室扉、２０…冷蔵室扉（片扉）、２１…冷蔵室扉（片扉、製氷室扉も兼ねる）。
【図１】
2008292093.tif 000003
【図２】
2008292093.tif 000004
【図３】
2008292093.tif 000005
【図４】
2008292093.tif 000006
【図５】
2008292093.tif 000007